(57)【要約】      （修正有）【課題】片手で開閉及び点眼が行え、携帯中に液漏れが発生しない点眼用容器を提供する。【解決手段】点眼液Ｌ滴下用のノズル５を上面１ｂの中央部に立設した樹脂製の容器本体１と、容器本体１の上面１ｂを隠蔽可能とすると共に下面３ａに前記ノズル５の開口部５ａに差し込み可能な差込栓６を突設した蓋体３と、容器本体１の上部に周壁２ａを嵌着すると共に周壁２ａの上部の周縁２ｂに蓋体３の周縁３ｃを嵌脱可能とし且つヒンジ４を介して蓋体３を周壁２ａに連結した環体２と、から成る。蓋体３の周縁３ｃのヒンジ４に対向した外側部位に押指片９を突設し、ノズル５の開口部５ａと蓋体３の差込栓６とは、ノズル５の開口部５ａ内には内側へ膨らんで上向きに漸開する受栓面５ｂを形成し、環体２の上部の周縁２ｃと蓋体３の周縁３ｃを嵌合した際に、受栓面５ｂの膨らみ部分を全周に亘って押圧可能とする円錐面６ｂを差込栓６の先端部に形成する。【選択図】図１
2020078453.tif 000002
【特許請求の範囲】
【請求項１】
点眼液滴下用のノズルを上面の中央部に立設した樹脂製の容器本体と、該容器本体の上面を隠蔽可能とすると共に下面に前記ノズルの開口部に差し込み可能な差込栓を突設した蓋体と、前記容器本体の上部に周壁を嵌着すると共に該周壁の上部の周縁に前記蓋体の周縁を嵌脱可能とし且つヒンジを介して前記蓋体を前記周壁に連結した環体と、から成り、
前記蓋体の周縁の前記ヒンジに対向した外側部位に、前記蓋体を開閉する際に指掛け可能となる押指片を突設し、
前記容器本体のノズルの開口部と前記蓋体の差込栓とは、該ノズルの開口部内には内側へ膨らんで上向きに漸開する受栓面を形成し、前記環体の上部の周縁と前記蓋体の周縁を嵌合した際に、前記ノズルの開口部の受栓面の膨らみ部分を全周に亘って押圧可能とする円錐面を前記差込栓の先端部に形成したことを特徴とする点眼用容器。
【請求項２】
容器本体のノズルの開口部に、該容器本体と異なる色に着色した該ノズルの開口部の中心を中心とした照準円と、前記容器本体の上面に、該容器本体と異なる色に着色した前記照準円より大きい径で前記照準円と中心方向から見て同心円の基準円と、を設けたことを特徴とする請求項１に記載の点眼用容器。
【発明の詳細な説明】
【技術分野】
【０００１】
本発明は点眼液を目に滴下するための点眼用容器に関する。
【背景技術】
【０００２】
従来の点眼用容器は、片手しか使えない人にとって自分で蓋を開けることが困難であったが、例えば、下記特許文献１に提案された流動物押出用容器では、手を持ち替えずに片方の手だけで蓋の開閉及び点眼が行え、又、開けた蓋はヒンジで容器と繋がっているので落下させてしまうこともなくなった。
【先行技術文献】
【特許文献】
【０００３】
【特許文献１】特開２００８−２３０６２４
【発明の概要】
【発明が解決しようとする課題】
【０００４】
しかしながら、上記特許文献１の容器では、蓋を閉じた状態であっても、ノズルの抽出口の上に栓を当てて抽出口を閉じる不安定な構造としているため、ポケット等に入れて携帯する際に、容器や蓋が押されて変形と起すと抽出口と栓との接触部分に隙間が生じて液漏れするおそれがある。
そこで、本発明は、片手だけで自由に点眼用容器の蓋の開閉及び点眼液の点眼が行え、携帯中に液漏れが発生しない点眼用容器を提供することを目的とする。
【課題を解決するための手段】
【０００５】
上記課題を解決するため、本発明の点眼用容器は、点眼液滴下用のノズルを上面の中央部に立設した樹脂製の容器本体と、該容器本体の上面を隠蔽可能とすると共に下面に前記ノズルの開口部に差し込み可能な差込栓を突設した蓋体と、前記容器本体の上部に周壁を嵌着すると共に該周壁の上部の周縁に前記蓋体の周縁を嵌脱可能とし且つヒンジを介して前記蓋体を前記周壁に連結した環体と、から成り、前記蓋体の周縁の前記ヒンジに対向した外側部位に、前記蓋体を開閉する際に指掛け可能となる押指片を突設し、前記容器本体のノズルの開口部と前記蓋体の差込栓とは、該ノズルの開口部内には内側へ膨らんで上向きに漸開する受栓面を形成し、前記環体の上部の周縁と前記蓋体の周縁を嵌合した際に、前記ノズルの開口部の受栓面の膨らみ部分を全周に亘って押圧可能とする円錐面を前記差込栓の先端部に形成したことを特徴とする。
【０００６】
請求項２に記載の発明は、前記容器本体のノズルの開口部に、該容器本体と異なる色に着色した該ノズルの開口部の中心を中心とした照準円と、前記容器本体の上面に、該容器本体と異なる色に着色した前記照準円より大きい径で前記照準円と中心方向から見て同心円の基準円とを設けたことを特徴とする。
【発明の効果】
【０００７】
片手で容器本体を持ち、その手で押指片に指を掛けてヒンジで連結され蓋体を押し開け、同時にその手でノズルの開口部を開くことができる。
そして、その手で点眼し、最後に押指片を押して蓋体を閉じることができる。
即ち、蓋体の開閉及び点眼の全てが片手だけで行える。
又、蓋体を閉じた際に、差込栓がノズルに差し込まれ、その差込栓の円錐面がノズルの受栓面を全周で帯状に押し広げる。このため携帯中に容器本体や蓋体が押されて帯状の当接面に変形が発生したとしても開口部の内外を連通させた隙間は発生せず、この結果、液漏れが起こらない。
【０００８】
請求項２に記載の発明は、ノズルの開口部の照準円と容器本体の上面の基準円とが高低差を持って一方から見たとき同心円となる円形に着色して形成したことで、ノズルを点眼する目で見たとき、二つの上下に離れた位置の基準円と照準円が同心円に見え、且つノズルの開口部から出た点眼液が照準円と中心方向から見て同心円となる位置とすることで、ノズルの先端部が眼球の直上方向にあることを容易に確認することができる。
この結果、曖昧な勘に頼らず、確実に眼球中心に液を滴下すことが可能となる。
【図面の簡単な説明】
【０００９】
【図１】本発明の縦断側面である。
【図２】拡大した要部を示す縦断側面図である。
【図３】差込栓の円錐面がノズルの受栓面から抜かれている状態を示す縦断側面図である。
【図４】基準円と照準円を設けた形態の要部を示す縦断側面図である。
【図５】ノズルの中心方向から見た状態を示し、（イ）は点眼液を出さずに見えた状態を示し、（ロ）は点眼液を出して眼球の直上に照準が合った場合の見えた状態を示すノズル周辺部分の各平面図である。
【発明を実施するための形態】
【００１０】
本発明の実施形態を、以下図を参照して説明する。
本発明の点眼用容器は、図１に示すように、点眼液Ｌを収容する容器本体１と、該容器本体１の上部を覆う蓋体３と、前記容器本体１と前記蓋体３とを連結する環体２とで構成する。
【００１１】
前記容器本体１は、収容した点眼液Ｌの雫を滴下可能な細い滴出孔５ｃを備えたノズル５を、中央に向かって膨らんだ上面１ｂの中央部に、点眼液Ｌの収容部分と一体的に直立させて形成する。
該ノズル５の先端の開口部５ａは、一般的な点眼用容器と同様に、点眼液を目に向けて滴下し易くするため、容器本体１の上面１ｂから高く突出させる。
容器本体１は、指で押して凹ませることができるように弾力性を有する樹脂製とし、全体が掌中に隠れる程のコンパクトなサイズとする。
又、容器本体１の上部の前記ノズル３を囲う上面１ｂの外側の側壁１ａ部分は、前記蓋体３の外形となる周縁３ａの径と同じ程度の径に形成する。
又、前記ノズル５の開口部５ａには、図３に示すように、内周面にラッパの口のように内側へ膨らんで上向きに漸開する受栓面５ｂを形成する。
【００１２】
そして、容器本体１の上部の側壁１ａの外側に前記環体２の周壁２ａを嵌める。
その際、図２に示すように、容器本体１の側壁１ａ側と環体２の周壁２ａ側には、一方側に形成した凹部８ａと他方側に形成した凸部８ｂとが相互に密着状態に嵌合する嵌着部８を設け、前記凹部８ａと凸部８ｂとを嵌合させて前記容器本体１と前記環体２とを固定する。
【００１３】
前記嵌着部８は、製造時においては別部品である容器本体１と環体２を凹部８ａと凸部８ｂで嵌合させて両側を連結させるが、一旦嵌合させた後は、両者は外れないように固定できる遊びのないタイトな結合とする。
なお、前記嵌着部８は前記容器本体１と環体２が相互に連結されるものなので、容器本体１の側壁１ａと環体２の下部の周縁２ｂとに形成する凹部８ａと凸部８ｂは、それとは逆に凸部と凹部としても良い。
【００１４】
又、前記環体２の上部の周縁２ｃと前記蓋体３の周縁３ｃには、凹部７ａと凸部７ｂとが相互に着脱可能に嵌合する嵌脱部７を設ける。
該嵌脱部７の凹部７ａと凸部７ｂの嵌合は、前記嵌着部８の凹部８ａと凸部８ｂの嵌合よりも浅く結合可能する。
又、該嵌脱部７は、環体２と蓋体３の凹部７ａと凸部７ｂとが相互に着脱可能に嵌合するものなので、凹部７ａと凸部７ｂはその逆に凸部と凹部としても良い。
【００１５】
そして、図２に示すように、前記環体２の上部の周壁２ａと前記蓋体３の周縁３ｃとをヒンジ４を介して連結する。
該ヒンジ４は、例えば、柔軟な樹脂の折線部分で樹脂の変形により開閉可能とするヒンジ４が使用できる。このヒンジ４には、前記環体２と前記蓋体３とは同じ材質の樹脂で一体的に成型してヒンジ４で連結したものが使用可能である。
【００１６】
即ち、前記環体２の上部の周壁２ａと前記蓋体３の周縁３ｃとは嵌脱部７で着脱し、又該嵌脱部７が外れて前記環体２から離脱した前記蓋体３は、前記ヒンジ４で結合した状態で該ヒンジ４を中心に前記蓋体３が擺動して開閉可能となる。
【００１７】
又、蓋体３のヒンジ４の位置と対向した位置の周縁３ｃの外側に、指先を当てて蓋体３を開くための板状の押指片９を突設する。
なお、該押指片９は指が掛れば良いので、その形状は板状に限定するものではない。
【００１８】
又、蓋体３の中央部の下面３ａには、図１及び図２に示すように、環体２の周縁３ｃに対して蓋体３の周縁３ｃが着脱することにより、同時的に容器本体１のノズル５の滴出孔５ｃへ挿脱可能となる差込栓６を突設する。
該図１は、前記押指片９を指で下に押して環体２の周縁３ｃに蓋体３の周縁３ｃを嵌合させ、蓋体３を閉じてノズル５の開口部５ａに差込栓６の先端６ａを差し込んだ状態を示し、該図２は、前記押指片９を指で上に押して蓋体３を開き、ノズル５の開口部５ａから差込栓６の先端部を抜いた状態を示す。
【００１９】
前記ノズル５の先端部５ａは容器本体１の上面１ｂから高い位置にあり、且つ差込栓６の先端６ａは前記ヒンジ４の開閉中心部４ａを中心に開閉する蓋体３の中央部の下面３ａにあるので、差込栓６の先端６ａはノズル５の開口部５ａの斜め上の横方向からノズル５の開口部５ａへ向かって移動しつつ開口部５ａに挿入されることとなる。
従って、差込栓６の先端６ａはノズル５の開口部５ａに向かって垂直上方から真下へ移動して差し込むことができないので、ノズル５の開口部５ａの中心と差込栓６の中心とが一致するように中心に差し込むのが困難である。
そして、例えば、ノズル５の開口部５ａの中心から前記差込栓６の中心が僅かでも離れてしまうと、差込栓６の先端部分と開口部５ａとの間に開口部５ａの内外を連通させた隙間が発生し、開口部５ａが密閉されず、液漏れが生じる。
【００２０】
これに対して、本発明は差込栓６の先端部には円錐面６ｂを形成し、図１に示すように、蓋体を閉じた際に、前記ノズル５の柔軟な受栓面５ｂの全周を隙間なく押し広げつつ挿入可能とすることで円錐面６ｂと開口部５ａの当接部分が帯状の輪となって密着する。
この結果、携帯中に容器本体１や蓋体３が外から押されるなどして帯状の当接面に変形が発生したとしても開口部５ａの内外を連通させた隙間は発生せず、この結果、携帯中に容器が逆さになっても液漏れが起こらない。
なお、図１では蓋体３の下面３ａ中央部の差込栓６を、先端部の一部に円錐面６ｂを形成した態様を示したが、前記差込栓６は蓋体３の下面３ａ中央部に円錐面６ｂのみで形成することも可能である。
【００２１】
このように、前記容器本体１のノズル５の受栓面５ｂに蓋体３の差込栓６の円錐面６ｂが全周を隙間なく押し広げる状態に挿入可能となるための条件について次に説明する。
【００２２】
その前提として、図１及び図２に示すように、前記蓋体３を開閉する際のヒンジ４の開閉中心部４ａを中心とした半径Ｒの差込栓６の先端６ａの軌跡をＫとする。
そして、ヒンジ４の開閉中心部４ａを通る前記蓋体３の嵌脱部７の凸部７ｂの直径方向の直線をＺとし、蓋体３の前記直線Ｚに対して垂直な前記差込栓６ｂの中心を通る直線をＸとし、容器本体１の嵌脱部７の凹部７ａの直径方向の直線と垂直なノズル５の中心を通る直線をＹとする。
又、図２に示すように、嵌脱部７の凸部７ｂの直径方向の直線Ｚに対する差込栓６ｂの円錐面６ｂの高さＨとし、容器本体１の嵌脱部７の凹部７ａの直径方向の直線からのズル５の受栓面５ｂの高さＴとする。
そして、各部を次の（１）から（５）の通りに設定する。
【００２３】
（１）差込栓６の先端６ａの軌跡Ｋとノズル５の中心線Ｙとの交差点に差込栓６の先端６ａが存在したとき、受栓面５ｂが円錐面６ｂに押されて変形し、図１に示すように、円錐面６ｂの中間部位が受栓面５ｂに全周一定幅の環状となって当接するように設定する。
【００２４】
この場合、円錐面６ｂの中間部位が受栓面５ｂの復元力で全周が一定幅で締め付けられるため、円錐面６ｂと受栓面５ｂとの間に漏れ通路が発生しない。
しかし、頂部が鋭く尖った底面の小さい円錐形の場合、前記差込栓６の円錐面６ｂは、受栓面５ｂの中心線Ｙに到っても、受栓面５ｂに接触できない。この場合には、円錐面６ｂと受栓面５ｂとの間に漏れ通路が発生してしまうので開口部５ａが密封不能となるので好ましくない。
逆に、円錐形の頂部が大きく開いた底面の大きい円錐形の場合、差込栓６の円錐面６ｂは、ノズル５の中心線Ｙに到って開口部５ａ上に載置されるが、滴出孔５ｃ先端の受栓面５ｂに円錐面６ｂが差し込まれないため、円錐面６ｂには受栓面５ｂの口径を押し広げる状態になるよう差し込むことができない。このため、円錐面６ｂを締め付ける受栓面５ｂの復元力が殆ど発生しない。この場合、携帯中に容器本体や蓋体が押されて変形したとき、円錐面６ｂと開口部５ａとの間に隙間が生じて液漏れし易くなるので好ましくない。
なお、図３に示すように、差込栓６の先端６ａをノズル５の中心線Ｙに円滑に到達させるため、差込栓６の先端６ａの軌跡Ｋは受栓面５ｂに接触しないようする。
【００２５】
（２）受栓面５ｂのラッパの発音口の如く内側へ膨らんで上向きに漸開する曲面は、図３に示すように、ヒンジ４の開閉中心部４ａを中心とした差込栓６の先端６ａの軌跡Ｋよりも半径の小さい円の曲面に設定する。
この態様では、円錐面６ｂが受栓面５ｂへ差し込み開始した時点では円錐面６ｂの受栓面５ｂへの接触面積が少ないが、ノズル５の中心線Ｙに到って、接触部分が広く帯状の環となって接触面積を拡大し、確実に開口部５ａを密封することが可能となる。
【００２６】
（３）前記ノズル５の受栓面５ｂは軟質樹脂で形成し、前記差込栓６の円錐面６ｂは、該ノズル５の受栓面５ｂより変形の少ない硬質樹脂で形成する。
軟質の受栓面５ｂは、硬質の円錐面６ｂの挿入により、接触部分の口径が拡張しつつその復元力で円錐面６ｂを強く押圧し、円錐面６ｂの周囲を締め付けて開口部５ａを密封することが可能となる。
【００２７】
（４）前記蓋体３を閉じたとき、図１に示すように、差込栓６の先端６ａがノズル５の中心線Ｙに到り、蓋体３の差込栓６ｂの中心を通る直線Ｘはノズル５の中心線Ｙと重なる位置とし、前記差込栓６の先端６ａは、差込栓６ｂの中心を通る直線Ｘと、これと重なる受栓面５ｂの中心線Ｙの上にあり、円錐面６ｂの高さＨと受栓面５ｂの高さＴとは重なる位置となるように設定する。
樹脂板面の折曲げ式のヒンジ４では、開閉中心部４ａを中心に擺動させても前記押指片９を指で押したときの蓋体３の変形で、差込栓６の先端の軌跡Ｋの半径Ｒは必ずしも一定になるとは限らず、その場合、軌跡は正確な円形を描かないことがある。
しかし、変形させる外部からの力が無くなったとき、差込栓６の先端６ａが受栓面５ｂの中心線Ｙに到っては、必ず、前記差込栓６の先端６ａは、ヒンジ４の開閉中心部４ａを通る嵌脱部７の直径方向の直線Ｚに対する蓋体の開閉方向の垂直線Ｘ上にあり、円錐面６ｂの高さＨと受栓面５ｂの高さＴとは重なる位置となるようにすることができる。
【００２８】
（５）前記環体２と蓋体３との嵌脱部７の凹部７ａと凸部７ｂとは、蓋体３を閉じて嵌合させたときには、蓋体３の差込栓６ｂの中心を通る直線Ｘはノズル５の受栓面５ｂの中心線Ｙと重なる位置で、円錐面６ｂの高さＨと受栓面５ｂの高さＴとが重なる高さを維持可能とする硬さで、しかも、凹部７ａと凸部７ｂとが着脱するときには、指で押指片９を押して容易に凹部７ａと凸部７ｂとを着脱できる程度の嵌合深さと柔軟性を有するものとする。
【００２９】
本発明は各部を上記（１）から（５）の如く設定することで、図３に示すように、前記差込栓６の先端６ａはノズル５の受栓面５ｂに接触しないで軌跡Ｋを描いて受栓面５ｂを通り過ぎて滴出孔５ｃ内に差し込まれ、前記差込栓６の先端６ａが受栓面５ｂを通り過ぎてから硬い円錐面６ｂが受栓面６ｂに接触を開始し、柔軟な受栓面６を押圧変形しつつ、最終的に前記差込栓６の先端６ａがノズル５の滴出孔９の中心線Ｙに到達したとき、円錐面６ｂの全周で受栓面６ｂを帯状に押圧可能となる。
【００３０】
このとき、前記差込栓６の円錐面６ｂをその中間部位が前記ノズル５の受栓面５ｂを開口全周で均等に押圧可能に当接するよう形成することで、差込栓６の円錐面６ｂの中間部位とノズル５の受栓面５ｂとの帯状の押圧面は、一定幅を持った輪となって面的に広い接触面積で密封することが可能となる。
この結果、容器本体１や蓋体３に外圧が加わって変形が生じ、前記帯状の押圧面の極一部が浮き上がったとしても、常に全円周で環状の接触を維持できるので、液漏れが起こらなくなる。
【００３１】
又、本発明では、図４及び図５に示すように、ノズル５の開口部５ａと容器本体１の上面１ｂに夫々着色した円を設けた形態が可能である。
この形態では、ノズル５の開口部５ａには、該ノズル５の中心線Ｙを中心とした小さい照準円１０に着色し、又、容器本体の上面１ｂには、そのノズル５の中心線Ｙを中心とした前記照準円１０の径より大きい基準円１１を着色して形成する。
前記照準円１０と基準円１１とはノズル５の中心線Ｙを中心とした同心円であり、且つノズル５の長さ程の高低差を持って設ける。
【００３２】
前記照準円１０と基準円１１とは奥行きある位置にあるため、ノズル５の斜め横方向から見ると、前記照準円１０と基準円１１は同心円には見えず、又真円にも見えない。この場合、ノズル５の向きが眼球には向いていないことが確認できる。
又、ノズル５の先端方向（ノズル５の中心線Ｙ方向）から見ると、前記照準円１０は基準円１１の中の同心円に見える。この場合では、ノズル５の向きは眼球には向いているが、ノズルが目の上ではなく前方にあっても前記照準円１０は基準円１１の中の同心円となるように見えるため、ノズルが眼球の直上にあるとは限らず、点眼すべき位置の確認とはならない。
【００３３】
そして、図５の（ロ）に示すように、前記照準円１０は基準円１１の中の同心円となり且つ、点眼液Ｌの雫が前記照準円１０と同心円とはなる真円に見えたときには、ノズル５が眼球の直上にあることが確認できる。このとき点眼液Ｌを滴下する。
実際の使用においては、先ず、前記照準円１０は基準円１１の中の同心円に見える状態を維持させつつ、図５の（イ）に示すように、容器本体１を逆さまにして点眼液Ｌがノズル５の先端部５ａに少し膨らむように出し、その点眼液Ｌの雫が、図５の（ロ）に示すように前記照準円１０と同心円に見えるように移動させれば，自分の曖昧な勘に頼らずにノズル５の先端部を確実且つ簡単に眼球の直上に持ってくることが可能となる。
【産業上の利用可能性】
【００３４】
本発明は、主として携帯に適した小さな点眼用容器を対象としているが、それより大きい家庭用の点眼用容器に使用することも可能である。
【符号の説明】
【００３５】
１  容器本体
１ａ  上部側壁
１ｂ  上面
２  環体
２ａ  周壁
２ｂ  上部の周縁
２ｃ  下部の周縁
３  蓋体
３ａ  下面
３ｂ  上面
３ｃ  周縁
４  ヒンジ
５  ノズル
５ａ  開口部
５ｂ  受栓面
５ｃ  滴出孔
６  差込栓
６ａ  先端
６ｂ  円錐面
７  嵌脱部
７ａ  凹部
７ｂ  凸部
８  嵌着部
８ａ  凹部
８ｂ  凸部
９  押指片
１０  照準円
１１  基準円
Ｌ  点眼液
【図１】
2020078453.tif 000003
【図２】
2020078453.tif 000004
【図３】
2020078453.tif 000005
【図４】
2020078453.tif 000006
【図５】
2020078453.tif 000007